(57)【要約】【課題】確実にスライドレールの離脱と内側への後退を防止できるスライドレール延伸定位装置を提供する。【解決手段】第一レール１、第二レール２、離脱防止弾力片３、ストッパー片４及び固定板５を備える。第二レール２は、嵌合し、スライドする第一レール１に対応し、離脱防止弾力片３は第一レール１に固設されている固定端３０及び溝孔３１を有している。ストッパー片４は、固定端４０及び停止部４１を有し、離脱防止弾力片３と第一レール１との間に位置しており、固定端４０は離脱防止弾力片の固定端３０に対応して第一レール１に固設されており、停止部４１は溝孔３１に対応している。固定板５は、第二レール２に固定され、溝孔３１に対応する。離脱防止弾力片３は、突出片３２を有し、第一レール１には対応する制限片１１が設けられて離脱防止弾力片３の突出片３２を係止する。【選択図】図１
0003132884.tif 000002
【実用新案登録請求の範囲】
【請求項１】
第一レールと、
嵌合し、スライドする第一レールに対応する第二レールと、
第一レールに固設されている固定端及び溝孔を有する離脱防止弾力片と、
固定端及び停止部を有し、離脱防止弾力片と第一レールとの間に位置しており、前記固定端は離脱防止弾力片の固定端に対応して第一レールに固設されており、前記停止部は離脱防止弾力片の溝孔に対応しているストッパー片と、
第二レールに固定され、離脱防止弾力片の溝孔に対応する固定板と、
を備えることを特徴とするスライドレール延伸定位装置。
【請求項２】
前記ストッパー片の停止部は、側辺突出体であり、離脱防止弾力片の溝孔に貫入することを特徴とする請求項１に記載のスライドレール延伸定位装置。
【請求項３】
前記離脱防止弾力片は、突出片を有し、
第一レールには対応する制限片が設けられて離脱防止弾力片の突出片を係止することを特徴とする請求項１に記載のスライドレール延伸定位装置。
【請求項４】
前記離脱防止弾力片は、突出したプッシュエリアを有することを特徴とする請求項１に記載のスライドレール延伸定位装置。
【請求項５】
前記離脱防止弾力片とストッパー片の固定端は、連結していることを特徴とする請求項１に記載のスライドレール延伸定位装置。
【考案の詳細な説明】
【技術分野】
【０００１】
本考案は、スライドレール延伸定位装置に関するものであり、特に、二つの弾力片型式がスライドレールの引っ張り位置を制限し、同時にスライドレールの離脱と内側への後退を防止するストッパー効果を持つスライドレール延伸定位装置である。
【背景技術】
【０００２】
公知のスライドレールの設計において、機能性に優れたものには、可動レールを引っ張り出した後は、該可動レール体が簡単に内側へ後退せずに固定レール体内を滑動しないものがあり、即ち、可動レール体が固定レール体に嵌合定位して、延伸状態において可動レール体が内側に後退するのを防止するものであり、内側への後退を防止する定位機能は固定ロックと弾性臨時定位の二つの型に分類される。二つの型のうち、固定ロックに、ロック解除をする制御部品を組み合わせることにより、可動レール体はロックが解除された後に再び固定レール体を押し込むことができる。また、弾性臨時定位は、可動レール体の一定のプッシュ力によって該定位作用を自動的に解除して、可動レール体を強制的に押し込むものである。
【０００３】
これらのスライドレール定位設計は、また、構造形状に基づいて弾力片式の定位装置に区分される。例えば、米国特許公報第４，９９８，８２８号、第６，２５７，６８３Ｂ１号、第６，３５０，００１Ｂ１号、第６，４０２，２７５Ｂ１号、第６，７６４，１５０Ｂ２号、第６，７９６，６２５Ｂ２号及び第６，９４２，３０７Ｂ１号の全てに開示されているとおりである。
【考案の開示】
【考案が解決しようとする課題】
【０００４】
前述した弾力片式のスライドレール延伸定位装置において、ストッパー部分の弾力片は、全て一体式の二つのストッパー部（もしくは対応する凹口、穿孔）を持つ単一片体であり、可動レール体の外方向への離脱と内側への後退移動を防止する。しかしながら、その二箇所のストッパー部は、全て弾力片に連結して共に動く故、可動レール体を素早く引っ張り出した場合、固定レール体上の突出部が一つのストッパー部を押す力を働かせる時に、もう一つのストッパー部も同様に固定レール体の突出部を離れる。この状況の下、可動レール体を引っ張り出す速度が速すぎる場合は、弾力片が完全に元に戻るのが間に合わず、可動レール体を外側に引っ張る時の離脱防止の役割をする該ストッパー部は固定レール体の突出部に引っ掛かって固定が不十分となり、離脱防止機能効果が失われる。
そこで、本考案は、スライドレール延伸定位装置を提供し、単一弾力片式のストッパー構造が容易に離脱防止効果を失う問題を解決する。それぞれ動作する離脱防止弾力片とストッパー片がスライドレールの引っ張り位置を制限し、確実にスライドレールの離脱と内側への後退を防止する。
【課題を解決するための手段】
【０００５】
本考案の提供するスライドレール延伸定位装置は、第一レール、第二レール、離脱防止弾力片、ストッパー片及び固定板を備える。
第二レールは、嵌合し、スライドする第一レールに対応する。
離脱防止弾力片は、固定端及び溝孔を備え、且つ、固定端は第一レールに固設されている。
ストッパー片は、固定端及び停止部を備え、並びに、離脱防止弾力片と第一レール間に位置しており、固定端は離脱防止弾力片の固定端に対応して第一レールに固設され、また、停止部は離脱防止弾力片の溝孔に対応している。
【０００６】
固定板は、第二レールに固定され、且つ、離脱防止弾力片の溝孔に対応している。
前記ストッパー片の停止部は、側辺突出体であり、離脱防止弾力片の溝孔に貫入する。
前記離脱防止弾力片は、突出片を備え、第一レールには対応する制限片を設けて離脱防止弾力片の突出片を係止する。
前記離脱防止弾力片は、突出したプッシュエリアを備える。
前記離脱防止弾力片とストッパー片の固定端は、連結している。 
【考案の効果】
【０００７】
公知技術と比較した本考案の効果と長所は、次のとおりである。
ａ．スライドレールを引っ張り出す場合、離脱防止弾力片とストッパー片が各自動作する故、離脱防止機能がストッパー片の影響を受けることがない。
ｂ．離脱防止弾力片とストッパー片を分離個体として設計した場合、異なる材質を選択してストッパー力と有効寿命の要求に応えることができる。適当な材料を適当な用途に用いることができる。
ｃ．離脱防止弾力片とストッパー片を一体化設計した場合、異なる厚さに成形して、ストッパー力と有効寿命の要求に応えることができる。
【考案を実施するための最良の形態】
【０００８】
（実施例１）
図１と図２に示したとおり、本考案の実施例１によるスライドレール延伸定位装置は、第一レール１、第二レール２、離脱防止弾力片３、ストッパー片４及び固定板５を備える。
第一レール１には、制限片１１を設ける。
第二レール２は、嵌合し、スライドする第一レール１に対応するものである。
【０００９】
離脱防止弾力片３は、固定端３０、溝孔３１、突出片３２及びプッシュエリア３３を備え、固定端３０は第一レール１に固設し、突出片３２は第一レール１の制限片１１に係止し、プッシュエリア３３は突出して使用者によって便利にプッシュされるようになっている。
ストッパー片４は、離脱防止弾力片３と第一レール１の間に位置し、並びに、固定端４０及び停止部４１を有している。固定端４０は離脱防止弾力片３の固定端３０に対応し、第一レール１に固設されており、また、停止部４１は側辺突出体であり、対応する離脱防止弾力片３の溝孔３１に嵌入する。 
【００１０】
固定板５は、第二レール２に固定し、且つ、離脱防止弾力片３の溝孔３１に対応する。
離脱防止弾力片３とストッパー片４は第一レール１の内側に重畳し、ストッパー片４の停止部４１は溝孔３１に対応する。また、ストッパー片４の停止部４１は、カーブした突出状の側辺突出体であり、溝孔３１に嵌入する。但し、該停止部４１のカーブした突出型は、必ずしも絶対に必要なものではない。停止部４１の後端と溝孔３１の後端の間には適当な隙間を設け、この停止部４１の後端と溝孔３１の後端間の隙間には第二レール２の固定板５を入れることができる。
【００１１】
また、離脱防止弾力片３の突出片３２を制限片１１に係止することにより、離脱防止弾力片３は、予定した圧力を施す弾力と制限されたばねの高さを持つ。
使用操作図を、図３から図５に示すが、第一レール１が対応する第二レール２から引き出されて極限までスライドした状態を表している。
図３に示すとおり、第二レール２に対応する第一レール１がある程度引き出されると、第一レール１上のストッパー片４は第二レール２の固定板５まで達し、固定板５はストッパー片４の停止部４１にぶつかる。
【００１２】
図４に示すとおり、第一レール１が引き続き引き出されると、固定板５は離脱防止弾力片３の溝孔３１を通過してストッパー片４の停止部４１を圧する故、ストッパー片４は下方向に圧せられる。この状態において、固定板５は、離脱防止弾力片３に接触することはなく、また、離脱防止弾力片３の溝孔３１後端の高さは、始終、固定板５に対応しており、相互に圧して接触した状態になっている。
【００１３】
図５に示すとおり、固定板５はストッパー片４の停止部４１をスライドするが、ストッパー片４が弾力により元の位置に戻る力を働かせ、固定板５はストッパー片４の停止部４１後端と離脱防止弾力片３の溝孔３１後端間に延伸する故、第一レール１は延伸極限位置が制限され、離脱せず、内側に後退することもなくなる。
上述した実施型態に基づき、離脱防止弾力片３は、第一レール１が極限位置まで引き出される過程において、固定板５が離脱防止弾力片３を圧することがない故、離脱防止弾力片３の元の位置に戻ろうとする反応が間に合わなかったり、ストッパー効果を失う状況は発生しない。
【００１４】
また、図６に示すとおり、離脱防止弾力片３をプッシュする場合は、指でプッシュエリア３３を押す故、離脱防止弾力片３とストッパー片４は共に下方向に圧せられて、溝孔３１と固定板５の嵌合関係を解除する。この時、第一レール１を再度第二レール２に押し入れて後退させるか、第二レール２から離脱させて引っ張り出すかを選択することができる。
（実施例２）
図７に、本考案に関する別の実施例を示す。それは、離脱防止弾力片３’の固定端３０’とストッパー片４’の固定端４０’を相互に連結して一体化したものである。
【図面の簡単な説明】
【００１５】
【図１】本考案の実施例１によるスライドレール延伸定位装置の第一レールと第二レールを示す分解斜視図である。
【図２】本考案の実施例１によるスライドレール延伸定位装置の第一レールを示す斜視図である。
【図３】本考案の実施例１によるスライドレール延伸定位装置の第一レールを引き出した状態を示す側面図である。
【図４】本考案の実施例１によるスライドレール延伸定位装置の第一レールを引き出した状態を示す側面図である。
【図５】本考案の実施例１によるスライドレール延伸定位装置の第一レールを引き出した状態を示す側面図である。
【図６】本考案の実施例１によるスライドレール延伸定位装置の第一レールの定位状態を解除している状態を示す側面図である。
【図７】本考案の実施例２によるスライドレール延伸定位装置を示す斜視図である。
【符号の説明】
【００１６】
１：第一レール、２：第二レール、３：離脱防止弾力片、３’：離脱防止弾力片、４：ストッパー片、４’：ストッパー片、５：固定板、１１：制限片、３０：固定端、３０’：固定端、３１：溝孔、３２：突出片、３３：プッシュエリア、４０：固定端、４０’：固定端、４１：停止部
【図１】
0003132884.tif 000003
【図２】
0003132884.tif 000004
【図３】
0003132884.tif 000005
【図４】
0003132884.tif 000006
【図５】
0003132884.tif 000007
【図６】
0003132884.tif 000008
【図７】
0003132884.tif 000009